(57)【要約】      （修正有）【課題】回路中のインダクタンス負荷による一時的な反電動の勢いにより発生する電流を低減する保護回路を提供する。【解決手段】電源制御器は、それぞれプログラマブル論理制御器、第１電源、第２電源及びインダクタンス負荷を接続し、インダクタンス負荷が保護回路を並列し、保護回路がインダクタンス負荷に並列する第１容量を設置し、電源制御器が第１及び第２制御器を設置し、第１及び第２電源が第１及び第２制御器に接続し、第１及び第２制御器に第１及び第２電源をインダクタンス負荷にオンにさせるか、第１及び第２電源にインダクタンス負荷にオフにさせ、インダクタンス負荷が電源のオン又はオフにより両端に発生する一時的反電動の勢いが第１容量二端の電圧に変化を発生させ、充電を行い、回路中の電流を低減し一時的反電動の勢いが電源制御器の接点を損害することを回避し、リレー又はスイッチの使用寿命及びシステムの安定性を確保する。【選択図】図１
0003174264.tif 000002
【実用新案登録請求の範囲】
【請求項１】
電源制御器を設置し、電源制御器は、それぞれプログラマブル論理制御器、第１電源、第２電源及びインダクタンス負荷を接続し、且つインダクタンス負荷が保護回路を並列し、そのうち、
該電源制御器は、第１制御器及び第２制御器を設置し、第１電源及び第２電源は、第１制御器及び第２制御器に接続し、
該プログラマブル論理制御器は、電源制御器を制御することに用い、電源制御器の第１制御器及び第２制御器に第１電源又は第２電源をインダクタンス負荷にオンにさせるか、第１電源及び第２電源にインダクタンス負荷にオフにさせ、
該保護回路は、インダクタンス負荷に並列する第１容量を設置し、インダクタンス負荷の両端に発生する一時的反電動の勢いに、第１容量二端の電圧に変化を発生させ、充電を行い、回路中の電流を低減し、電源制御器の第１制御器及び第２制御器が破壊を受けるのを防止するインダクタンス負荷制御保護回路。
【請求項２】
前記第１電源の電圧値は、第２電源より大きく、第１容量の耐圧値が第１電源の３倍以上である請求項１に記載にインダクタンス負荷制御保護回路。
【請求項３】
前記第１電源の電圧値は、第２電源より小さく、第１容量の耐圧値が第２電源の３倍以上である請求項１に記載にインダクタンス負荷制御保護回路。
【請求項４】
前記電源制御器の第１制御器及び第２制御器は、リレー又はスイッチである請求項１に記載にインダクタンス負荷制御保護回路。
【請求項５】
前記保護回路がインダクタンス負荷の第１容量及び第２容量に並列され、且つ第１容量及び第２容量が直列状であり、第１容量及び第２容量の間を電源制御器の第１制御器及び第２制御器の間に導通する請求項１に記載にインダクタンス負荷制御保護回路。
【請求項６】
前記第１容量及び第２容量の総耐圧値が第１電源の３倍以上である請求項５に記載にインダクタンス負荷制御保護回路。
【請求項７】
前記第２容量の耐圧値が第２電源の３倍以上である請求項５に記載にインダクタンス負荷制御保護回路。
【考案の詳細な説明】
【技術分野】
【０００１】
本考案は、インダクタンス負荷制御保護回路に関し、特に、回路中のインダクタンス負荷による一時的な反電動の勢いにより発生する電流を低減する保護回路に関する。
【背景技術】
【０００２】
工業制御回路において、しばしば電源がインダクタンス負荷に送る電力の大きさを変化させるか、電源を適時に異なるインダクタンス負荷に送る必要があり、それを所定のプログラムに従って動作させ、この種の要求を達成する為、回路中に電力出力を制御することができる部材が必要であり、且つ電力部材の動作を適時制御できるトリガ回路を有する必要があり、必要な出力電力を獲得する為、リレー又はスイッチを使用し、電源及び負荷の間のオンオフを制御することは、よく見られる方法となっている。しかしながら、現在のリレー又はスイッチの接点の制御は、業者が突破することが困難なボトルネックとなっており、例えば、交流接点及び直流接点の耐圧、又は接点間の隙間及び受け入れられる電流の規格は、複雑であり、メーカー及び使用者が精確な使用状況に基づき、リレー又はスイッチを選択し、何れも負荷インダクタンスが回路のオンオフを変化させることにより一時的な反電動の勢いを発生し、この一時的な反電動の勢いがリレー又はスイッチの接点に損害を与え、リレー又はスイッチの使用寿命を減少させ、且つ制御システムを干渉又は破壊する。
【０００３】
よって、従来技術の不足及び欠陥を如何に解決するかは、この業界に従事する業者が改善を欲する課題となっている。
【先行技術文献】
【特許文献】
【０００４】
【特許文献１】特開平９−６９４３５号公報
【考案の概要】
【考案が解決しようとする課題】
【０００５】
本考案の目的は、保護回路を利用し、電源制御器が負荷インダクタンスの電源を切り換える時に、負荷インダクタンスが発生する一時的な反電動の勢いが電源制御回路の接点に損害を与えることを回避し、リレー又はスイッチの使用寿命及びシステムの安定性を確保することである。
【課題を解決するための手段】
【０００６】
上記目的を達成する為、本考案のインダクタンス負荷制御保護回路は、電源制御器を設置し、電源制御器は、それぞれプログラマブル論理制御器、第１電源、第２電源及びインダクタンス負荷を接続し、且つインダクタンス負荷が保護回路を並列し、そのうち、該電源制御器は、第１制御器及び第２制御器を設置し、第１電源及び第２電源は、第１制御器及び第２制御器に接続し、該プログラマブル論理制御器は、電源制御器を制御することに用い、電源制御器の第１制御器及び第２制御器に第１電源又は第２電源をインダクタンス負荷にオンにさせるか、第１電源及び第２電源にインダクタンス負荷にオフにさせ、該保護回路は、インダクタンス負荷に並列する第１容量を設置し、インダクタンス負荷の両端に発生する一時的反電動の勢いに、第１容量二端の電圧に変化を発生させ、充電を行い、回路中の電流を低減し、電源制御器の第１制御器及び第２制御器が破壊を受けるのを防止する。
本考案は、下記の特徴を有する。
（１）電源制御器を設置し、電源制御器は、それぞれプログラマブル論理制御器、第１電源、第２電源及びインダクタンス負荷を接続し、且つインダクタンス負荷が保護回路を並列し、そのうち、
該電源制御器は、第１制御器及び第２制御器を設置し、第１電源及び第２電源は、第１制御器及び第２制御器に接続し、
該プログラマブル論理制御器は、電源制御器を制御することに用い、電源制御器の第１制御器及び第２制御器に第１電源又は第２電源をインダクタンス負荷にオンにさせるか、第１電源及び第２電源にインダクタンス負荷にオフにさせ、
該保護回路は、インダクタンス負荷に並列する第１容量を設置し、インダクタンス負荷の両端に発生する一時的反電動の勢いに、第１容量二端の電圧に変化を発生させ、充電を行い、回路中の電流を低減し、電源制御器の第１制御器及び第２制御器が破壊を受けるのを防止するインダクタンス負荷制御保護回路。
（２）前記第１電源の電圧値は、第２電源より大きく、第１容量の耐圧値が第１電源の３倍以上である（１）に記載にインダクタンス負荷制御保護回路。
（３）前記第１電源の電圧値は、第２電源より小さく、第１容量の耐圧値が第２電源の３倍以上である（１）に記載にインダクタンス負荷制御保護回路。
（４）前記電源制御器の第１制御器及び第２制御器は、リレー又はスイッチである（１）に記載にインダクタンス負荷制御保護回路。
（５）前記保護回路がインダクタンス負荷の第１容量及び第２容量に並列され、且つ第１容量及び第２容量が直列状であり、第１容量及び第２容量の間を電源制御器の第１制御器及び第２制御器の間に導通する（１）に記載にインダクタンス負荷制御保護回路。
（６）前記第１容量及び第２容量の総耐圧値が第１電源の３倍以上である（５）に記載にインダクタンス負荷制御保護回路。
（７）前記第２容量の耐圧値が第２電源の３倍以上である（５）に記載にインダクタンス負荷制御保護回路。
【考案の効果】
【０００７】
従って、本考案は、従来技術の不足と欠陥を解決することができ、その鍵となる技術は、本考案が保護回路５に設置する第１容量５１及び第２容量５２を利用し、充電を行い、インダクタンス負荷６が発生する一時的反電動の勢いを吸収し、電源制御器１の第１制御器１１及び第２制御器１２の接点が損壊を受けることを回避し、使用寿命及びシステム安定性を向上する。
【図面の簡単な説明】
【０００８】
【図１】本考案の好適実施例のブロック図である。
【図２】本考案の好適実施例の回路図である。
【図３】本考案のもう１つの好適実施例のブロック図である。
【図４】本考案のもう１つの好適実施例の回路図である。
【考案を実施するための形態】
【０００９】
図１及び図２を参照し、図から分かるように、本考案のインダクタンス負荷制御保護回路は、電源制御器１、プログラマブル論理制御器２、第１電源３、第２電源４、保護回路５及びインダクタンス負荷６を設置し、
【００１０】
該電源制御器１は、第１制御器１１及び第２制御器１２を設置し、第１制御器１１及び第２制御器１２は、リレー又はスイッチであることができる。
【００１１】
該プログラマブル論理制御器２は、電源制御器１に接続し、第１制御器１１及び第２制御器１２を制御することに用いる。
【００１２】
該第１電源３及び第２電源４は、第１制御器１１及び第２制御器１２に接続し、第１制御器１１及び第２制御器１２により第１電源３又は第２電源４をインダクタンス負荷６にオンにするか、第１電源３及び第２電源４をインダクタンス負荷６にオフにする。
【００１３】
該インダクタンス負荷６は、電源制御器１に接続し、インダクタンス負荷６は、コイル又はモータであることができ、保護回路５は、インダクタンス負荷６に並列な第１容量５１を設置する。
【００１４】
上記のように、プログラマブル論理制御器２は、電源制御器１の第１制御器１１及び第２制御器１２を制御し、第１電源３又は第２電源４をインダクタンス負荷６にオンにするか、第１電源３又は第２電源４をインダクタンス負荷６にオフにする時、回路のオン又はオフの変化により、インダクタンス負荷６の両端に一時的に反電動の勢いを発生させ（逆向きの瞬間的な高圧及び）、この時、第１容量５１の二端は、一時的な反電動の勢いにより電圧変化を発生し、第１容量５１両端の電圧は、徐々に変化し、充電時間の増加に伴い、第１容量５１上の電圧は、指数規律に従い徐々に増大し、回路中の電流が徐々に減少し、回路中の電流を減少させ、電源制御器１の第１制御器１１及び第２制御器１２の接点（接触点）がオープンの時、瞬間的高圧が接触点の寿命に損害を与えることを防止する。更に、一般に、この一時的反電動の勢いの電圧は、電源の３〜６倍であるので、第１電源３の電圧値が第２電源４より大きければ、第１容量５１の耐圧値が第１電源３の３倍以上を選択して用いる。第１電源３の電圧値が第２電源４より小さければ、第１容量５１の耐圧値が第２電源４の３倍以上を選択して用いる。
【００１５】
図３及び図4を参照し、図から明確に分かるように、本考案のもう１つの好適実施例及び前記好適実施例の差異は、保護回路５がインダクタンス負荷６に並列する第１容量５１及び第２容量５２を設置したことにあり、且つ第１容量５１及び第２容量５２は、直列状であり、第１容量５１及び第２容量５２の間を電源制御器１の第１制御器１１及び第２制御器１２の間に導通させ、これにより、プログラマブル論理制御器２が電源制御器１の第１制御器１１及び第２制御器１２を制御し、第１電源３をインダクタンス負荷６にオンにする時、第１容量５１及び第２容量５２が通路状を呈し、第１制御器１１及び第２制御器１２が電源３をオフにし、第２電源４をインダクタンス負荷６にオンにするよう切り換える時、インダクタンス負荷６の両端に一時的な反電動の勢いが発生し、同時に第１容量５１及び第２容量５２により充電時間の増加に伴い、回路中に電流を低減し、これにより、第１容量５１及び第２容量５２の総耐圧値が第１電源３の３倍以上とすべきである。また、プログラマブル論理制御器２が電源制御器１の第１制御器１１及び第２制御器１２を制御し、第２電源４をインダクタンス負荷６にオンにする時、第１容量５１が短絡状を呈し、第１制御器１１及び第２制御器１２が第２電源４をオフにし、第１電源３をインダクタンス負荷６にオンにするよう切り換える時、インダクタンス負荷６の両端に一時的反電動の勢いを発生し、同時に第２容量５２により充電時間の増加に伴って、回路中の電流を低減し、従って、第２容量５２の耐圧値が第２電源４の３倍以上とすべきである。
【００１６】
従って、本考案は、従来技術の不足と欠陥を解決することができ、その鍵となる技術は、本考案が保護回路５に設置する第１容量５１及び第２容量５２を利用し、充電を行い、インダクタンス負荷６が発生する一時的反電動の勢いを吸収し、電源制御器１の第１制御器１１及び第２制御器１２の接点が損壊を受けることを回避し、使用寿命及びシステム安定性を向上する。
【００１７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１８】
１  電源制御器
１１  第１制御器
１２  第２制御器
２  プログラマブル論理制御器
３  第１電源
４  第２電源
５  保護回路
５１  第１容量
５２  第２容量
６  インダクタンス負荷
【図１】
0003174264.tif 000003
【図２】
0003174264.tif 000004
【図３】
0003174264.tif 000005
【図４】
0003174264.tif 000006